(57)【要約】【課題】大型化を抑制しつつ遮断性能を向上させることができる消弧装置を提供する。【解決手段】開路時、可動電極２０の開路方向への回動（左回動）に伴って引き伸ばされるアークに対して同期追従するように、グリッド式消弧装置３０の各グリッド３１をアークの引き伸ばし方向成分を含む方向へ一体的に回動（右回動）させるようにした。このため、固定電極１６と可動電極２０との間に発生したアークは各グリッド３１に引き付けられた状態で引き伸ばされる。従って、グリッド式消弧装置３０を固定式にした場合と比べて、アークの引き伸ばし距離が増大し、消弧性能を向上させることができる。また、グリッド式消弧装置３０の大型化も抑制される。【選択図】　　　　図４
2004055148.tif 000002
【特許請求の範囲】
【請求項１】
可動電極を通過可能とした切欠部を有する複数のグリッドを所定間隔毎に積層し、固定電極から離間した可動電極を各グリッドの切欠部中央付近を順次通過させることにより両電極間に発生したアークを引き伸ばすと共に分断して消弧するようにした消弧装置において、
前記各グリッドをアークの引き伸ばし方向成分を含む方向へ移動操作可能に構成し、前記可動電極の開路方向への移動に伴って引き伸ばされるアークに対して同期追従するように各グリッドを一体的に移動させるように構成した消弧装置。
【請求項２】
開路時、固定電極と可動電極との間に発生したアークを固定電極側に固定された消弧室内において消弧するようにした消弧装置において、
前記消弧室の外部には前記アークを引き付けるアーク誘引手段を設けると共に当該アーク誘引手段をアークの引き伸ばし方向成分を含む方向へ移動操作可能に構成し、前記可動電極の開路方向への移動に伴って引き伸ばされるアークに対して同期追従するようにアーク誘引手段を移動させるように構成した消弧装置。
【請求項３】
開路時、固定電極と可動電極との間に発生したアークを固定電極側に設けられた消弧室内において消弧するようにした消弧装置において、
前記消弧室をアークの引き伸ばし方向成分を含む方向へ移動操作可能に構成すると共に当該消弧室をアークが引き伸ばされるのと同期追従するように移動させるようにし、前記消弧室にはアークを引き付けるアーク誘引手段を設けた消弧装置。
【請求項４】
前記アーク誘引手段は前記消弧室を配置可能とした切欠部を有する複数のグリッドを備え、各グリッドの切欠部内には消弧室を配置し、前記可動電極の開路方向への移動に伴って、各グリッドは前記消弧室の外面に沿うように且つ一体的に移動するように構成した請求項２に記載の消弧装置。
【請求項５】
前記アーク誘引手段は、前記消弧室に対して一体回動可能に固定された複数のグリッドである請求項３に記載の消弧装置。
【発明の詳細な説明】
【０００１】
【発明の属する技術分野】
本発明は、開路時、固定電極と可動電極との間に発生するアークを消弧する消弧装置に関するものである。
【０００２】
【従来の技術】
従来より、この種の消弧装置としては、例えばグリッド式消弧装置が知られている。このグリッド式消弧装置は可動電極の移動方向に沿うように所定間隔毎に積層された複数のグリッドを備えている。このグリッドは可動電極を通過可能としたＵ字状又はＶ字状の切欠部が形成されている。各グリッドは絶縁性を有する支持部材により固定電極側に支持されている。
【０００３】
開路時、固定電極と可動電極との間にアークが発生すると、このアーク柱の周囲にはグリッドの存在により片寄った磁束分布が発生する。すると、アークはグリッドの切欠部の奥の方へ駆動される。このため、アークは引き伸ばされると共に各グリッドにより分断され、陽極・陰極降下及び冷却等が有効に作用して、アーク電圧が急激に高められて消弧が完了する。
【０００４】
【発明が解決しようとする課題】
ところが、前記従来の開閉器の消弧装置には、次のような問題があった。即ち、グリッド式消弧装置で遮断性能を向上させるためには当該消弧装置を大型化するしかなく、これに伴って開閉器本体も大型化せざるを得なかった。そして、グリッド消弧装置を大型化することなく小スペースで遮断性能を向上させることは困難であった。
【０００５】
本発明は上記問題点を解決するためになされたものであって、その目的は、大型化を抑制しつつ遮断性能を向上させることができる消弧装置を提供することにある。
【０００６】
【課題を解決するための手段】
請求項１に記載の発明は、可動電極を通過可能とした切欠部を有する複数のグリッドを所定間隔毎に積層し、固定電極から離間した可動電極を各グリッドの切欠部中央付近を順次通過させることにより両電極間に発生したアークを引き伸ばすと共に分断して消弧するようにした消弧装置において、前記各グリッドをアークの引き伸ばし方向成分を含む方向へ移動操作可能に構成し、前記可動電極の開路方向への移動に伴って引き伸ばされるアークに対して同期追従するように各グリッドを一体的に移動させるように構成したことを要旨とする。
【０００７】
請求項２に記載の発明は、開路時、固定電極と可動電極との間に発生したアークを固定電極側に固定された消弧室内において消弧するようにした消弧装置において、前記消弧室の外部には前記アークを引き付けるアーク誘引手段を設けると共に当該アーク誘引手段をアークの引き伸ばし方向成分を含む方向へ移動操作可能に構成し、前記可動電極の開路方向への移動に伴って引き伸ばされるアークに対して同期追従するようにアーク誘引手段を移動させるように構成したことを要旨とする。
【０００８】
請求項３に記載の発明は、開路時、固定電極と可動電極との間に発生したアークを固定電極側に設けられた消弧室内において消弧するようにした消弧装置において、前記消弧室をアークの引き伸ばし方向成分を含む方向へ移動操作可能に構成すると共に当該消弧室をアークが引き伸ばされるのと同期追従するように移動させるようにし、前記消弧室にはアークを引き付けるアーク誘引手段を設けたことを要旨とする。
【０００９】
請求項４に記載の発明は、請求項２に記載の消弧装置において、前記アーク誘引手段は前記消弧室を配置可能とした切欠部を有する複数のグリッドを備え、各グリッドの切欠部内には消弧室を配置し、前記可動電極の開路方向への移動に伴って、各グリッドは前記消弧室の外面に沿うように且つ一体的に移動するように構成したことを要旨とする。
【００１０】
請求項５に記載の発明は、請求項３に記載の消弧装置において、前記アーク誘引手段は、前記消弧室に対して一体回動可能に固定された複数のグリッドであることを要旨とする。
（作用）
請求項１に記載の発明によれば、固定電極から離間した可動電極が各グリッドの切欠部中央付近を順次通過することにより両電極間に発生したアークは引き伸ばされると共に分断されて消弧される。また、前記可動電極の開路方向への移動に伴って引き伸ばされるアークに対して同期追従するように、各グリッドはアークの引き伸ばし方向成分を含む方向へ一体的に移動する。アークは各グリッドに引き付けられながら引き伸ばされるので、アークの引き伸ばし距離が増大する。
【００１１】
請求項２に記載の発明によれば、可動電極の開路方向への移動に伴って引き伸ばされるアークに対して同期追従するように、アーク誘引手段はアークの引き伸ばし方向成分を含む方向へ移動する。消弧室内において、アークはアーク誘引手段側に引き寄せられながら引き伸ばされ、消弧される。
【００１２】
請求項３に記載の発明によれば、可動電極の開路方向への移動に伴って引き伸ばされるアークに対して同期追従するように、消弧室はアークの引き伸ばし方向成分を含む方向へ移動する。アークはアーク誘引手段側に引き寄せられながら引き伸ばされ、消弧される。
【００１３】
請求項４に記載の発明によれば、請求項２に記載の消弧装置の作用に加えて、可動電極の開路方向への移動に伴って、各グリッドは消弧室の外面に沿うように移動する。両電極間に発生したアークは各グリッドに発生した磁界の作用により各グリッドの切欠部奥側へ引き寄せられ、消弧室における各グリッドの切欠部奥側の内壁面に沿うようにして引き伸ばされながら消弧される。
【００１４】
請求項５に記載の発明によれば、請求項３に記載の消弧装置の作用に加えて、可動電極の開路方向への移動に伴って引き伸ばされるアークに対して同期追従するように、消弧室はアークの引き伸ばし方向成分を含む方向へ移動する。各グリッドは消弧室と一体移動する。このため、両電極間に発生したアークは各グリッドの切欠部奥側へ駆動されながら消弧室により包み込まれる。
【００１５】
【発明の実施の形態】
（第１実施形態）
以下、本発明を開閉器の消弧装置に具体化した第１実施形態を図１〜図６に従って説明する。
【００１６】
図１に示すように、開閉器１１の本体ケース１２の互いに対向する両側壁には電源側ブッシング１３及び負荷側ブッシング１４が３相各相毎（図１では１相分のみ示す。）に互いに対向するように貫通支持されている。電源側ブッシング１３の内端部には導電棒１５が突設されており、同導電棒１５には固定電極１６が固定されている。また、電源側ブッシング１３の内端側外周面には、１対のピン１７，１７が互いに反対側に位置するように突設されている。負荷側ブッシング１４の内端部には導電棒１８が突設されており、同導電棒１８には軸１９を介して可動電極２０の基端部が回動可能に支持されている。可動電極２０は１枚の平板状の接触刃から構成されている。
【００１７】
一方、本体ケース１２内の上部には、複数のリンク等からなるリンク機構（図示略）を介して本体ケース１２外部の操作ハンドル（図示略）に作動連結された回動軸２１が設けられており、同回動軸２１にはレバー２２が一体回動可能に固定されている。レバー２２の先端には駆動リンク２３の一端が回動可能に連結されており、同駆動リンク２３の他端は可動電極２０の中央付近に回動可能に連結されている。また、前記レバー２２の先端には作動リンク２４の一端が回動可能に連結されている。
【００１８】
従って、前記操作ハンドルの開閉操作に伴って、可動電極２０は前記リンク機構、回動軸２１、レバー２２及び駆動リンク２３を介して軸１９を支点として図２に示す投入位置と図４に示す開放位置との間を移動する。尚、本体ケース１２の内底面に沿うように大地間バリヤＢが配設されている。
【００１９】
（消弧装置）
図２に示すように、本体ケース１２内において、電源側ブッシング１３の内端側にはグリッド式消弧装置３０が設けられている。グリッド式消弧装置３０は所定間隔毎に積層された複数枚（本実施形態では３枚）のグリッド３１を備えており、各グリッド３１はそれぞれ支持部材３２により一括して支持されている（図５参照）。
【００２０】
図６に示すように、グリッド３１は鋼材等の磁性体によりコの字板状に形成されている。グリッド３１の先端縁（図６における下端縁）には可動電極２０を通過可能とした切欠部３３が形成されており、同切欠部３３の最奥部中央にはＶ字状の切欠３４が形成されている。切欠３４は切欠部３３内を通過する可動電極２０の先端部にそれぞれ対向するように配置されている。グリッド３１の両側縁における基端側には、それぞれ一対の突起３５，３５が形成されている。
【００２１】
図６に示すように、支持部材３２は絶縁性を有する合成樹脂材料により平面コの字状に形成されており、同支持部材３２の互いに対向する側壁には、２つを１組とする複数組（本実施形態では３組）のグリッド支持孔３２ａが各グリッド３１の配置間隔と同じ間隔で形成されている。各グリッド支持孔３２ａにはそれぞれ前記グリッド３１の両突起３５，３５が内側から係合している。
【００２２】
図５に示すように、支持部材３２の互いに対向する側壁の外面中央付近には、それぞれ長短２つのピン３２ｂ，３２ｃが突設されている。両ピン３２ｂ，３２ｃにはそれぞれ連結リンク３６，３６の一端が回動可能に連結されており、両連結リンク３６，３６の他端はそれぞれ前記両ピン１７，１７に回動可能に連結されている。また、ピン３２ｂには前記作動リンク２４の他端が回動可能に連結されている。
【００２３】
従って、操作ハンドルによる開路操作に連動して、グリッド式消弧装置３０は前記リンク機構、回動軸２１、レバー２２及び作動リンク２４を介してピン１７，１７を支点として下方へ移動すると共に、ピン３２ｂ，３２ｃを支点として図２における右方向へ回動する。
【００２４】
（実施形態の作用）
次に、前述のように構成した消弧装置の作用について説明する。
図２に示すように、開路時において、前記操作ハンドルが開路操作されると、回動軸２１を介してレバー２２が左回動する。これに伴って、駆動リンク２３は下方へ移動され、可動電極２０が軸１９を中心に左回動する。図３に示すように、可動電極２０が固定電極１６から離間すると、両電極１６，２０間にはそれぞれアークが発生する。
【００２５】
図６に示すように、このアーク柱の周囲にはグリッド３１の存在により片寄った磁束分布が発生する。可動電極２０の遠心力とフレミング左手の法則に基づいてグリッド３１に発生する電磁力とにより、アークはグリッド３１における切欠部３３の奥の方（図６における矢印方向）へ駆動され、切欠３４に集中する。このため、図３に示すように、可動電極２０の開路方向への移動（図３における左回動）に伴って、アークは引き伸ばされると共に各グリッド３１により分断され、陽極・陰極降下及び冷却等が有効に作用して、アーク電圧が急激に高められる。アークはグリッド３１の切欠部３３最奥部と基端縁（図６における上端縁）との間における中央付近で安定する。
【００２６】
一方、前記レバー２２の左回動に伴って、作動リンク２４が下方に移動されると、グリッド式消弧装置３０はピン３２ｂを介して下方へ移動され、前記電源側ブッシング１３の両ピン１７，１７を中心に右回動する。即ち、グリッド式消弧装置３０は可動電極２０の左回動に同期追従し、アークの引き伸ばし方向成分を含む方向に、且つ各グリッド３１と可動電極２０とが相互に交差するように移動する。これに伴って、両電極１６，２０間に発生したアークは各グリッド３１を経由するようにして引き伸ばされる（図３参照）。
【００２７】
このため、グリッド式消弧装置３０を固定電極１６側に固定した場合と比較して、アーク経路、即ちアークの引き伸ばし距離が大きくなる。アークの引き伸ばし距離はグリッド式消弧装置３０の右回動及び可動電極２０の左回動に伴って増大する。そして、可動電極２０が図４に示す開放位置まで移動すると、アークは完全に消弧され開路動作は終了となる。閉路時には前述した開路時とは逆の動作が行われる。
【００２８】
（実施形態の効果）
従って、本実施形態によれば、以下の効果を得ることができる。
・開路時、可動電極２０の開路方向への回動に同期追従してアークの引き伸ばし方向成分を含む方向に、且つ各グリッド３１と可動電極２０とが相互に交差するように、グリッド式消弧装置３０を移動させるように構成した。このため、アークは各グリッド３１に引き付けられた状態で引き伸ばされる。従って、アークの引き伸ばし距離が増大し、消弧性能（ひいては遮断性能）を向上させることができる。また、消弧性能を向上させるために例えばグリッド３１の枚数を増やすようにした場合と異なり、グリッド式消弧装置３０の大型化も抑制される。
【００２９】
（第２実施形態）
次に、本発明の第２実施形態を説明する。本実施形態は電源側ブッシングの内端部に細隙消弧室がさらに設けられている点で前記第１実施形態と異なる。従って、前記第１実施形態と同様の部材構成は同一の符号を付し、その重複した説明を省略する。
【００３０】
図７に示すように、電源側ブッシング１３の内端には細隙消弧室４０が設けられている。この細隙消弧室４０は固定電極１６を覆うように設けられた細隙消弧室本体４１と、同細隙消弧室本体４１の基端部開口を閉鎖するように設けられた底部カバー４２とを備えている。細隙消弧室本体４１及び底部カバー４２は消弧性及び絶縁性を有する合成樹脂材料にて形成されている。
【００３１】
細隙消弧室本体４１は互いに対向する一対の細隙消弧部材４１ａ，　４１ｂ（図１０参照）及び両細隙消弧部材４１ａ，　４１ｂを電源側ブッシング１３側の側縁において相互に連結する奥壁４１ｃを備えている。両細隙消弧部材４１ａ，　４１ｂは底部カバー４２に対して斜状に形成されていると共に、可動電極２０が通過可能な程度に離間されている。また、両細隙消弧部材４１ａ，　４１ｂの先端は互いに離間する方向に拡開されたテーパ部となっている。
【００３２】
図１０に示すように、各グリッド３１の切欠部３３の幅は、両細隙消弧部材４１ａ，　４１ｂの外面間の距離よりも若干大きくされている。各グリッド３１の切欠部３３内には両細隙消弧部材４１ａ，　４１ｂが差し込まれており、各グリッド３１の切欠部３３の内周縁と両細隙消弧部材４１ａ，　４１ｂの外面との間、及び切欠部３３の内周縁と奥壁４１ｃとの間にはそれぞれ若干の隙間が形成されている。このため、前記操作ハンドルの開閉操作に伴って、各グリッド３１は細隙消弧室４０に干渉することなく当該細隙消弧室４０の外面（厳密には細隙消弧部材４１ａ，４１ｂの外面）に沿うように移動する。
【００３３】
尚、細隙消弧室４０は固定電極１６側に固定された消弧室を構成する。また、各グリッド３１は細隙消弧室４０の外部に設けられ両電極１６，２０間に発生したアークを引き付けるアーク誘引手段を構成する。
【００３４】
（実施形態の作用）
さて、図８に示すように、閉路状態において、前記操作ハンドルが開路操作されると、可動電極２０は開路方向へ回動して両細隙消弧部材４１ａ，４１ｂ間を図８における上方から下方へ移動する。可動電極２０は両細隙消弧部材４１ａ，４１ｂにより挟着され、両電極１６，２０間に発生したアークは細隙消弧されながら引き延ばされる。このとき、アーク熱により発生した消弧性ガスによりアークの消弧が促進される。
【００３５】
一方、開路操作時、グリッド式消弧装置３０は可動電極２０の左回動に同期追従し、アークの引き伸ばし方向成分を含む方向に、且つ各グリッド３１と可動電極２０とが相互に交差するように移動する。このとき、各グリッド３１は細隙消弧室４０に干渉することなく当該細隙消弧室４０の両細隙消弧部材４１ａ，４１ｂの外面に沿うように移動する。細隙消弧室４０内において、前記アークは、各グリッド３１における切欠部３３の奥の方へ駆動され、細隙消弧室本体４１の奥壁４１ｃの内面に沿うようにして引き伸ばされる。グリッド式消弧装置３０はアークを自身の方へ引き寄せるアーク誘引手段として機能している。
【００３６】
このため、細隙消弧室４０だけの場合と比較して、アーク経路（アークの引き伸ばし距離）が長くなる。アーク経路の引き伸ばし距離はグリッド式消弧装置３０の右回動及び可動電極２０の左回動に伴って増大する。そして、図９に示すように、可動電極２０が開放位置まで移動すると、アークは完全に消弧され開路動作は終了となる。
【００３７】
（実施形態の効果）
従って、本実施形態によれば、以下の効果を得ることができる。
・細隙消弧室４０の外部にはグリッド式消弧装置３０を設けた。そして、このグリッド式消弧装置３０を、可動電極２０の開路方向への回動に同期追従してアークの引き伸ばし方向成分を含む方向に且つ細隙消弧室４０に干渉しないように移動するように構成した。このため、開路操作時、アークは各グリッド３１の奥の方向へ駆動され、奥壁４１ｃの内面に沿うようにして引き伸ばされる。従って、細隙消弧室４０内におけるアーク経路が増大し、消弧性能を向上させることができる。また、消弧性能を向上させるために細隙消弧室４０を大型化（可動電極２０の開路方向への長大化）する必要もない。このように、消弧装置の大型化を抑制しつつ消弧性能、ひいては開閉器１１の遮断性能を向上させることができる。
【００３８】
（第３実施形態）
次に、本発明の第３実施形態を説明する。本実施形態は電源側ブッシングの内端部に対して消弧室を回動可能に設け、この消弧室に対して複数のグリッドを一体回動可能に固定した点で前記第２実施形態と異なる。
【００３９】
図１１に示すように、電源側ブッシング１３の内端には小径部１３ａが形成されており、当該小径部１３ａの先端には棒状の固定電極５１が突設されている。図１１及び図１４に示すように、小径部１３ａには支持台Ｓが内端側から挿通されており、当該支持台Ｓの外周面には一対のピン５２，５２が互いに反対側に位置するように突設されている。支持台Ｓはポリアセタール、ポリテトラフルオルエチレン、メラミン、ユリア及びナイロン等の絶縁性及び消弧性を有する合成樹脂により一体的に形成されている。
【００４０】
一方、負荷側ブッシング１４の内端には導電棒を介して支持部材５３が固定されており、この支持部材５３には可動電極５４の基端部が軸５５を介して回動可能に支持されている。図１６に示すように、可動電極５４は平行状に配置された一対の接触刃５４ａ，　５４ｂから構成されている。
【００４１】
（可動消弧室）
図１１に示すように、電源側ブッシング１３の内端部には可動消弧室６１が固定電極５１を覆うように、且つ前記両ピン５２，５２を支点として回動可能に設けられている。可動消弧室６１はポリアセタール、ポリテトラフルオルエチレン、メラミン、ユリア及びナイロン等の絶縁性及び消弧性を有する合成樹脂により一体的に形成されている。
【００４２】
図１１及び図１５に示すように、前記可動消弧室６１は電源側ブッシング１３の内端部が位置する第１収容部７１と、同第１収容部７１の外周面中央に沿うように突設され固定電極５１の先端部が位置する第２収容部７２とを備えており、両収容部７１，７２の内部は互いに連通している。第１収容部７１における負荷側ブッシング１４側の側壁７１ａ及び第２収容部７２の負荷側ブッシング１４側の側壁７２ａは、それぞれ円弧状に形成されている。可動消弧室６１が両ピン５２，５２を支点として回動したとき、電源側ブッシング１３の内端及び固定電極５１の先端部は、それぞれ両側壁７１ａ，７２ａの内面に対して相対的に沿うように移動する。
【００４３】
（第１収容部）
図１４及び図１５に示すように、第１収容部７１の互いに対向する一対の側壁において、電源側ブッシング１３側の側縁部には、それぞれ半円形状の軸着部７３，７３が突出するように形成されており、両軸着部７３，７３にはそれぞれ挿通孔７３ａが形成されている。両挿通孔７３ａ，７３ａには両ピン５２，５２が挿通されており、可動消弧室６１は両ピン５２，５２を支点として回動可能となっている。
【００４４】
また、第１収容部７１の両側壁の外面には、それぞれ作動ピン７４が突設されている。両作動ピン７４，７４にはそれぞれ前記作動リンク２４，２４の他端が回動可能に連結されている。従って、開閉操作時、可動消弧室６１はリンク機構（図示略）、回動軸２１、レバー２２、作動リンク２４及び作動ピン７４を介して図１１に示す投入対応位置と図１３に示す開放対応位置との間を移動する。
【００４５】
（第２収容部）
図１４及び図１５に示すように、第２収容部７２の互いに対向する両側壁の基端部側には２つの外側細隙壁７５，７５が外方（反電源側ブッシング１３側）に向かって突設されていると共に、中央細隙壁７６が両外側細隙壁７５，７５の中間に位置するように突設されている。図１６に示すように、両外側細隙壁７５，７５と中央細隙壁７６との間の距離はそれぞれ前記両接触刃５４ａ，　５４ｂの厚みよりも若干大きくされており、両接触刃５４ａ，　５４ｂは両外側細隙壁７５，７５と中央細隙壁７６との間をそれぞれ通過可能となっている。
【００４６】
（グリッド）
図１４〜図１６に示すように、第１収容部７１の互いに対向する両側壁の外面下部には、それぞれグリッド支持部材７７，７７が斜めに固定されており、両グリッド支持部材７７，７７間には複数（本実施形態では３枚）のグリッド７８が所定間隔毎に積層支持されている。
【００４７】
図１４及び図１５に示すように、グリッド支持部材７７は絶縁性を有する合成樹脂材料により形成されており、当該グリッド支持部材７７には２つを１組とする複数組（本実施形態では３組）のグリッド支持孔７７ａが当該グリッド支持部材７７の長手方向に所定間隔毎に形成されている。
【００４８】
図１５及び図１６に示すように、グリッド７８は鋼材等の磁性体によりコの字板状に形成されている。グリッド７８の前端縁には切欠部７８ａが形成されており、この切欠部７８ａの幅は第１収容部７１の互いに対向する両側壁間の距離よりも若干大きくされている。また、切欠部７８ａの最奥部にはＶ字状の一対の切欠７８ｂ，７８ｂが形成されている。両切欠７８ｂ，７８ｂは所定距離だけ離間されており、切欠部７８ａ内を通過する両接触刃５４ａ，５４ｂの先端部にそれぞれ対向するようになっている。
【００４９】
図１５に示すように、グリッド７８の両側縁における中央付近には、それぞれ一対の突起７８ｃ，７８ｃが形成されている。両突起７８ｃ，７８ｃは両グリッド支持部材７７，７７の各グリッド支持孔７７ａにそれぞれ内側から係合している。換言すれば、各グリッド７８は両グリッド支持部材７７，７７により両側から挟みつけられることにより、可動消弧室６１に対して一体回動可能に支持されている。各グリッド７８の切欠部７８ａ内には、それぞれ可動消弧室６１の第１収容部７１が配置されている。
【００５０】
各グリッド７８のうち図１１〜図１４における最も下方に配置されたグリッド７８の切欠部７８ａ最奥部と、図１２に示す開路途中及び図１３に示す開路時における可動電極５４の先端部との間が最小絶縁距離となるように、当該グリッド７８の切欠部７８ａの深さは設定されている。即ち、最も下方のグリッド７８の切欠部７８ａは他のグリッド７８の切欠部７８ａよりも浅くされている。
【００５１】
尚、可動消弧室６１はアークの引き伸ばし方向成分を含む方向へ移動操作可能に構成された消弧室を構成する。また、各グリッド７８は可動消弧室６１に設けられ両電極５１，５４間に発生したアークを引き付けるアーク誘引手段を構成する。
【００５２】
（実施形態の作用）
さて、図１１に示す投入状態において、前記操作ハンドルが開路操作されると、回動軸２１、レバー２２及び駆動リンク２３を介して可動電極５４が軸５５を支点として左回動する。可動電極５４が固定電極５１から離間すると、両電極５１，５４間にはアークが発生する。
【００５３】
一方、前記開路操作によるレバー２２の左回動に伴って、作動リンク２４が下方に移動される。すると、可動消弧室６１は両作動ピン７４，７４を介して下方へ移動されながら、前記電源側ブッシング１３の両ピン５２，５２を支点として右回動する。即ち、可動消弧室６１は可動電極５４の左回動に連動し、アークの引き伸ばし方向成分を含む方向へ移動する。各グリッド７８は可動消弧室６１と共に右回動し、アークの引き伸ばし方向成分を含む方向へ移動する。
【００５４】
各グリッド７８と可動電極５４とが相互に交差する際、両電極５１，５４間に発生したアークは各グリッド７８の奥の方へ駆動され、両切欠部７８ａ，７８ａに集中する。図１２に示すように、前記開路操作に伴って、アークは引き伸ばされると共に各グリッド７８により分断される。これにより、陽極・陰極降下及び冷却等が有効に作用して、アーク電圧が急激に高められる。アークは各グリッド３１を経由するようにして引き伸ばされる。
【００５５】
図１２に示すように、可動消弧室６１の右回動に伴って、第１収容部７１の側壁７１ａ及び第２収容部７２の側壁７２ａが、それぞれ固定電極５１のアーク発生部位と可動電極５４のアーク発生部位とを直線で結んだ線分を遮るように両電極５１，５４間に進入する。また、可動電極５４の両接触刃５４ａ，５４ｂが、それぞれ外側細隙壁７５と中央細隙壁７６との間に進入し、両接触刃５４ａ，５４ｂはそれぞれ外側細隙壁７５と中央細隙壁７６とによって挟着される。このため、両電極５１，５４間に発生したアークは細隙消弧されながらさらに引き延ばされる。このとき、各グリッド７８と可動電極５４とは互いに反対方向へ回動するので、アーク経路、即ちアークの引き伸ばし距離のいっそうの伸長が図られる。
【００５６】
図１３に示すように、可動電極５４が開放位置まで移動すると、アークは完全に消弧され開路操作は終了となる。開路操作終了後、アーク経路は両電極５１，５４間の絶縁距離が十分に確保される程度に伸長される。また、第１収容部７１の側壁７１ａ及び第２収容部７２の側壁７２ａがそれぞれ同相間絶縁バリアとして機能することにより、両電極５１，５４間の絶縁耐力が向上し、両電極５１，５４間の距離を短縮可能となる。
【００５７】
（実施形態の効果）
従って、本実施形態によれば、以下の効果を得ることができる。
・可動消弧室６１に複数のグリッド７８を一体回動可能に固定した。各グリッド７８は可動電極５４の移動方向に沿うように所定間隔ごとに固定するようにした。このため、開路時には、アークはグリッド消弧されながら引き伸ばされ、さらに細隙消弧される。従って、消弧性能を向上させることができる。
【００５８】
・また、開路時、可動消弧室６１の回動に伴い、両電極５１，５４間には第１収容部７１の側壁７１ａ及び第２収容部７２の７２ａがそれぞれ進入するようにした。この両側壁７１ａ，７２ａはそれぞれ同相間絶縁バリヤとして機能する。このため、両電極５１，５４間の距離を短縮できるにもかかわらず、十分な絶縁距離を確保することができる。従って、消弧装置の大型化を抑制しつつ消弧性能、ひいては開閉器１１の遮断性能を向上させることができる。
【００５９】
（別例）
尚、前記実施形態は以下のように変更して実施してもよい。
・第１及び第２実施形態では、可動電極２０を１枚の接触刃により構成したが、平行状に配置された一対の接触刃により構成するようにしてもよい。
【００６０】
・第３実施形態において、グリッド７８の切欠部７８ａ内周縁と第１収容部７１の両側壁外面とを密着させるようにしてもよい。このようにしても、各グリッドは可動消弧室６１と一体的に移動する。
【００６１】
・第１及び第２実施形態において、グリッド３１の枚数を任意に変更するようにしてもよい。例えば１枚、２枚、４枚、５枚又はそれ以上グリッド３１を積層する。
【００６２】
・第２及び第３実施形態では、各グリッド３１，７８によりそれぞれアーク誘引手段を構成するようにしたが、アークを引き付け得るものであれば他の部材に置き換えてもよい。
【００６３】
（付記）
次に前記実施形態及び別例から把握できる技術的思想を以下に追記する。
・前記固定電極を覆うように消弧室を設けると共に当該消弧室が各グリッドの切欠部内に位置するように当該各グリッドを構成且つ配置し、前記可動電極の開路方向への移動に伴って、各グリッドは当該消弧室の外面に沿うように一体的に移動するように構成した請求項１に記載の消弧装置。この構成によれば、請求項１に記載の消弧装置の作用に加えて、可動電極の開路方向への移動に伴って、各グリッドは当該細隙消弧室の外面に沿うように一体的に移動する。消弧室内において両電極間に発生したアークは各グリッドに発生した磁界の作用により当該各グリッドの切欠部奥側へ引き寄せられ、消弧室におけるグリッドの切欠部奥側の内壁面に沿うようにして引き伸ばされながら消弧される。
【００６４】
・前記アークの引き伸ばし方向成分を含む方向へ移動操作可能に構成されると共に前記可動電極の開路方向への移動に伴って引き伸ばされるアークに対して同期追従するように移動する消弧室を備え、前記消弧室に対して各グリッドを一体移動可能に固定するようにした請求項１に記載の消弧装置。この構成によれば、請求項１に記載の消弧装置の作用に加えて、可動電極の開路方向への移動に伴って引き伸ばされるアークに対して同期追従するように、消弧室はアークの引き伸ばし方向成分を含む方向へ移動する。各グリッドは消弧室と一体移動する。このため、両電極間に発生したアークは各グリッドの切欠部の奥側へ駆動されながら消弧室により包み込まれる。
【００６５】
・本体ケースの両側壁に各相毎に相対するように貫通支持された一対のブッシングと、一方のブッシングの内端に設けられた固定電極と、他方のブッシングの内端に回動可能に設けられ前記固定電極に対して接離可能に対応する可動電極と、前記一方のブッシングの内端に設けられ開路時に両電極間に発生するアークを消弧する請求項１〜請求項６のうちいずれか一項に記載の消弧装置とを備えた開閉器。
【００６６】
【発明の効果】
本発明によれば、消弧装置の大型化を抑制しつつ遮断性能を向上させることができる。
【図面の簡単な説明】
【図１】第１実施形態における開閉器の正断面図。
【図２】第１実施形態における閉路時の消弧装置の正断面図。
【図３】第１実施形態における開路途中の消弧装置の正断面図。
【図４】第１実施形態における開路時の消弧装置の正断面図。
【図５】図２における１−１線矢視図。
【図６】第１実施形態におけるグリッドの平面図。
【図７】第２実施形態における閉路時の消弧装置の正断面図。
【図８】第２実施形態における開路途中の消弧装置の正断面図。
【図９】第２実施形態における開路時の消弧装置の正断面図。
【図１０】図７における２−２線矢視図。
【図１１】第３実施形態における閉路時の消弧装置の正断面図。
【図１２】第３実施形態における開路途中の消弧装置の正断面図。
【図１３】第３実施形態における開路時の消弧装置の正断面図。
【図１４】第３実施形態における可動消弧室の斜視図。
【図１５】第３実施形態における可動消弧室の斜視図。
【図１６】図１１における３−３線矢視図。
【符号の説明】
１１…開閉器、１６，５１…固定電極、２０，５４…可動電極、３０…グリッド式消弧装置、３１，７８…アーク誘引手段を構成するグリッド、３３，７８ａ…切欠部、４０…細隙消弧室（消弧室）、６１…可動消弧室（消弧室）。
【図１】
2004055148.tif 000003
【図２】
2004055148.tif 000004
【図３】
2004055148.tif 000005
【図４】
2004055148.tif 000006
【図５】
2004055148.tif 000007
【図６】
2004055148.tif 000008
【図７】
2004055148.tif 000009
【図８】
2004055148.tif 000010
【図９】
2004055148.tif 000011
【図１０】
2004055148.tif 000012
【図１１】
2004055148.tif 000013
【図１２】
2004055148.tif 000014
【図１３】
2004055148.tif 000015
【図１４】
2004055148.tif 000016
【図１５】
2004055148.tif 000017
【図１６】
2004055148.tif 000018